(57)【特許請求の範囲】
【請求項１】
接極子の略中央部に設けた支持体を介して可動接触片を一体化した接極子ブロックが、ベースに設けた電磁石ブロックの励磁，消磁に基づいて回動し、接点を開閉する高周波リレーにおいて、
前記接極子ブロックが、接極子と、この接極子の略中央部に直交するように配して接続され、かつ、両端部を前記ベースに設けたグランド端子に接続して回動支点となるグランド中継端子と、少なくとも接極子の片側を間にして並設した一対の可動部の一端部に、前記接極子の上面を跨ぐように配した平面略コ字形のシールド用連結部の一端部をそれぞれ連結するとともに、その一端部を前記支持体で支持して前記接極子に一体化した可動接触片とからなり、可動接触片の接点開離時に前記シールド用連結部が前記接極子の上面に接触する一方、可動接触片の接点閉成時にシールド用連結部が前記ベースに突設した当接突部に当接し、前記接極子の上面から開離していることを特徴とする高周波リレー。
【請求項２】
前記可動接触片のシールド用連結部を、前記支持体近傍に配したことを特徴とする請求項１に記載の高周波リレー。
【発明の詳細な説明】
【０００１】
【発明の属する技術分野】
本発明は高周波リレー、特に、シールド構造に関する。
【０００２】
【従来の技術と発明が解決しようとする課題】
従来、高周波リレーのシールド構造としては、例えば、特開平２−１９７０４１号公報に記載のものがある。
すなわち、図６に示すように、箱型ベース１に、コイルブロック２、永久磁石３、接極子ブロック４、シールドブロック５および図示しないケースを組み込んだものである。前記接極子ブロック４は、図７に示すように、接極子６の両側に配した略Ｕ字形状の可動接触ばね片７，８を支持体９で一体成形するとともに、この支持体９の側面に回動軸９ａを突設したものである。
【０００３】
そして、前記箱型ベース１に組み込んだコイルブロック２の励磁，消磁に基づき、接極子ブロック４が回動軸９ａの軸心を中心に回動し、可動接触ばね片７，８の先端部が箱型ベース１に設けた固定接点１ａ，１ｂに交互に接触する一方、可動接触ばね片７，８の先端部がシールドブロック５のアース接点５ａ，５ｂに交互に接触する。
しかしながら、前述の高周波リレーでは、別体のシールドブロック５を必要とするので、部品点数，組立工数が多く、生産性が低い。
【０００４】
このため、ベース１に嵌合するケース（図示せず）の内側にシールドブロック５をあらかじめ組み込んでおき、組立ラインにおける部品点数，組立工数を減少し、生産性を高めた高周波リレー（実開平２−９９５４０公報）が提案されている。
しかし、このものでは、ベース１にケースを組み付けないと、動作特性を確認できず、組立作業性が悪いという問題点がある。
【０００５】
本発明は、前記問題点に鑑み、部品点数，組立工数が少なく、組立作業性の良い高周波リレーの提供を目的とする。
【０００６】
【課題を解決するための手段】
本発明にかかる高周波リレーは、前記目的を達成するため、接極子の略中央部に設けた支持体を介して可動接触片を一体化した接極子ブロックが、ベースに設けた電磁石ブロックの励磁，消磁に基づいて回動し、接点を開閉する高周波リレーにおいて、前記接極子ブロックが、接極子と、この接極子の略中央部に直交するように配して接続され、かつ、両端部を前記ベースに設けたグランド端子に接続して回動支点となるグランド中継端子と、少なくとも接極子の片側を間にして並設した一対の可動部の一端部に、前記接極子の上面を跨ぐように配した平面略コ字形のシールド用連結部の一端部をそれぞれ連結するとともに、その一端部を前記支持体で支持して前記接極子に一体化した可動接触片とからなり、可動接触片の接点開離時に前記シールド用連結部が前記接極子の上面に接触する一方、可動接触片の接点閉成時にシールド用連結部が前記ベースに突設した当接突部に当接し、前記接極子の上面から開離する構成としたものである。
また、前記可動接触片のシールド用連結部は、前記支持体近傍に配しておいてもよい。
【０００７】
【発明の実施の形態】
次に、本発明にかかる実施形態を図１ないし図５の添付図面に従って説明する。
本実施形態にかかる電磁継電器は、図１に示すように、電磁石ブロック１０に２次成形を施して形成したベースブロック２０と、永久磁石３０と、接極子ブロック４０と、ケース５０とからなるものである。
【０００８】
電磁石ブロック１０は、図５に示すように、略コ字形状の鉄芯１１をインサート成形したスプール１２の胴部１６にコイル１８（図３）を巻回したものである。
【０００９】
前記スプール１２は、その胴部１６の両端に形成した鍔部１３，１４の上端面から前記鉄芯１１の磁極部１１ａ，１１ｂがそれぞれ露出している。そして、前記鍔部１３，１４には一組の中継端子１５，１５がそれぞれインサート成形され、そのからげ部１５ａが前記鍔部１３，１４の両側端面からそれぞれ突出している。さらに、前記スプール１２は、その胴部１６に形成された中央鍔部１７に、後述する永久磁石３０を挿入するための挿入孔１７ａを形成してある。ただし、前記中央鍔部１７は、磁気バランスを崩すため、胴部１６の中心から鍔部１３側に偏心した位置に設けられている。
なお、前記胴部１６に巻回したコイル１８の引き出し線は前記中継端子１５，１５のからげ部１５ａにからげられ、ハンダ付けされている。
【００１０】
ベースブロック２０は、前記電磁石ブロック１０と、図示しないリードフレームとに２次成形を施して一体化した後、リードフレームから電磁石ブロック１０を切り離して形成したものである。
すなわち、前記リードフレームは、帯状のフープ材からコイル端子２１，２２、グランド端子２３、および、固定接点２４ａ，２５ａを固着一体化した固定接点端子２４，２５を切り出して屈曲したものである。そして、上向きにした前記リードフレームの裏面のうち、前記コイル端子２１，２２の先端部に電磁石ブロック１０の中継端子１５を載置して溶着した後、２次成形する。さらに、前述の各端子をリードフレームから切り離して屈曲することにより、図１に示すように、スプール１０の挿入孔１７ａ、グランド端子２３の接続受け部２３ａ、固定接点２４ａ，２５ａが露出するベースブロック２０が得られる。また、このベースブロック２０の上面には、前記磁極部１１ａ，１１ｂの両側から当接突部２６，２７がそれぞれ突出している。
なお、ダミー端子であるコイル端子２２は、その中間部から切断され、他の端子よりも短くなっている。
【００１１】
永久磁石３０は、希土類を焼結して形成された略直方体形状を有するものであり、電磁石ブロック１０の挿入孔１７ａに上方から挿入され、その下端面を鉄芯１１の上面に当接するように組み付けた後、着磁される。
【００１２】
接極子ブロック４０は、接極子４１の略中央部にアウトサート成形した支持体４２を介してグランド中継端子４３および可動接触片４４，４５を一体化したものである。
【００１３】
前記接極子４１は磁性材からなる平面長方形の板材であり、その下面中央部に支持突部４１ｃを突き出し加工で形成してある（図３）。
【００１４】
グランド中継端子４３は、導電性の薄板ばね材からなり、その両側端部に略Ｔ字形状の接続部４３ａを延在する一方、その中央部を前記接極子４１の上面に沿うように屈曲してある（図４）。
そして、前記グランド中継端子４３を、前記接極子４１の上面中央部に位置決めし、その中央部を接極子４１にレーザ溶接，抵抗溶接等で仮止めした後、この接極子４１に支持体４２を一体成形することにより、グランド中継端子４３が一体化される。
【００１５】
前記可動接触片４５は、図２（ａ）に示すように、前記接極子４１の両側に並設した可動部４５ａ，４５ａの一端部と、略コ字形のシールド用連結部４５ｂの一端部とを連結したものであり、その一端部を支持体４２にインサート成形することにより、前記接極子４１と一体となっている。そして、前記可動部４５ａの自由端部の下面には可動接点４５ｃが設けられている。さらに、シールド用連結部４５ｂは、その中央部を前記接極子４１の上面に沿う形状に屈曲してある。
なお、可動接触片４４は、前述の可動接触片４５と同一形状を有するものであり、可動接点４４ｃを有する可動部４４ａと、シールド用連結部４４ｂとで形成されている（図１）。そして、可動接触片４５と同様、支持体４２を介して接極子４１に一体化されている。
【００１６】
そして、永久磁石３０の上端面に接極子４１の支持突部４１ｃを載置した後、ベースブロック２０にインサート成形したグランド端子２３の接続受け部２３ａに、接極子ブロック４０の接続部４３ａを溶着一体化することにより、可動接点４４ｃ，４５ｃが固定接点２４ａ，２５ａに交互に接離可能に対向する。
【００１７】
ケース５０は、前記ベースブロック２０に嵌合可能な箱形状を有するものであり、天井面隅部にガス抜き孔５１を有している。さらに、前記ケース５０は、その側壁５２の下端縁部に各端子に嵌合する切り欠き部５２ａ，５２ｂ，５２ｃ，５２ｄ，５２ｅを形成してある。
したがって、永久磁石３０および接極子ブロック４０を組み込んだ前記ベースブロック２０にケース５０を嵌合すると、各端子２１〜２５が側壁５２の切り欠き部５２ａ〜５２ｅにそれぞれ嵌合する。そして、ベースブロック２０の底面にシール材（図示せず）を注入，固化した後、ガス抜き孔５１から内部ガスを吸引し、加熱溶融して密封する。ついで、前記端子２１，２３，２４，２５の先端部を内方に折り曲げて表面実装型の電磁継電器とすることにより、組み立て作業が完了する。
【００１８】
なお、図２（ａ）において、本実施形態にかかる電磁継電器の平面部分断面図が図示されているが、必ずしもこれに限らず、例えば、図２（ｂ）に示すように、シールド用連結部４５ｂが支持体４２の近傍に位置するものであってもよい。この実施形態によれば、接点閉成時に伝送経路が短くなり、挿入損失が少なくなるという利点がある。
また、前述の実施形態では、端子の先端部を内方に折り曲げて表面実装型の電磁継電器に適用した場合について説明したが、必ずしもこれに限らず、その先端部を外方に折り曲げた表面実装型の電磁継電器に適用してもよく、あるいは、端子の先端部を折り曲げず、そのままプリント基板のスルーホールに挿入して取り付ける電磁継電器に適用してもよい。
【００１９】
次に、前述のように組み立てられた自己復帰型の電磁継電器の動作について説明する。
まず、コイル１８に電圧が印加されず、電磁石ブロック１０が励磁されていない場合、永久磁石３０が中心から磁極部１１ａ側に偏心した位置にあるので、磁気バランスが崩れている。このため、接極子４１の一端部４１ａが鉄芯１１の磁極部１１ａに吸着し、可動接触片４４の可動接点４４ｃが固定接点２４ａに接触するとともに、シールド用連結部４４ｂがベースブロック２０の当接突部２６に突設して接極子４１の上面から開離している。一方、接極子４１の他端部４１ｂは鉄芯１１の磁極部１１ｂから開離し、可動接触片４５の可動接点４５ｃが固定接点２５ａから開離しているとともに、シールド用連結部４５ｂが接極子４１の上面に接触してアースしている。
【００２０】
そして、前記永久磁石３０の磁束を打ち消す磁束が生じるように前記コイル１８に電圧を印加すると、鉄芯１１の磁極部１１ａに接極子４１の一端部４１ａが反発するとともに、その磁極部１１ｂが接極子４１の他端部４１ｂを吸引する。このため、永久磁石３０の磁力に抗し、接極子４１が回動し、可動接点４４ｃが固定接点２４ａから開離した後、シールド用連結部４４ｂが接極子４１の上面に接触してアースしている。これにつれ、シールド用連結部４５ｂがベースブロック２０の当接突部２７に当接して接極子４１の上面から開離した後、可動接点４５ｃが固定接点２５ａに接触し、ついで、接極子４１の他端部４１ｂが鉄芯１１の磁極部１１ｂに吸着する。
【００２１】
ついで、前記励磁を解くと、磁気バランスが崩れているので、永久磁石３０の磁力により、前述と逆方向に接極子ブロック４０が回動し、可動接点４５ｃが固定接点２５ａから開離した後、シールド用連結部４５ｂが接極子４１の上面に接触してアースする。これにつれ、シールド用連結部４４ｂがベースブロック２０の当接突部２６に当接し、シールド用連結部４４ｂが接極子４１の上面から開離した後、可動接点４４ｃが固定接点２４ａに接触し、ついで、接極子４１の他端部４１ａが鉄芯１１の磁極部１１ａに吸着し、元の状態に復帰する。
【００２２】
前述の実施形態では、自己復帰型の電磁継電器に適用した場合について説明したが、必ずしもこれに限らず、自己保持型の電磁継電器に適用してもよいことは勿論である。
【００２３】
【発明の効果】
以上の説明から明らかなように、本発明にかかる高周波リレーによれば、接極子ブロックが従来例のシールドブロックとしての機能を有するので、部品点数，組立工数が減少し、生産性が向上する。特に、本願発明にかかる可動接触片およびシールド用連結部は従来例のシールドブロックの形状よりも簡単であり、部品精度，組立精度が高いので、接触信頼性が向上する。
また、可動ブロックを組み込んだ段階で動作特性を検査できるので、従来例のようにケース，シールドケースを組み付ける必要がなく、便利であり、生産性がより一層向上する。
さらに、接極子の長手方向の両側に可動接触片を配した場合には、接極子の中央に配したグランド中継端子によって前記可動接触片が仕切られ、シールドされるので、優れた高周波特性が得られる。
特に、ベースの両側中央に共通端子を配した一般のリレーに適用すれば、前記共通端子をグランド端子に転用できるので、部品の共通化を図れるだけでなく、従来例のような特殊な端子配列とならず、設計変更が不要であり、使い勝手が良い。
そして、請求項２によれば、接点閉成時に伝送経路が短くなるので、挿入損失が少なくなるという効果がある。
【図面の簡単な説明】
【図１】本発明にかかる高周波リレーの分解斜視図である。
【図２】図１に示した高周波リレーを示し、図（ａ）は平面部分断面図、図（ｂ）は変形例の平面部分断面図である。
【図３】図１に示した高周波リレーの正面部分断面図である。
【図４】図１に示した高周波リレーの側面断面図である。
【図５】図１に示した高周波リレーの電磁石ブロックを示す斜視図である。
【図６】従来例にかかる高周波リレーの分解斜視図である。
【図７】図６に示した電磁継電器の接極子ブロックの平面図である。
【符号の説明】
１０…電磁石ブロック、２０…ベースブロック、２３…グランド端子、２３ａ…接続受け部、２４ａ，２５ａ…固定接点、２６，２７…当接突部、３０…永久磁石、４０…接極子ブロック、４１…接極子、４２…支持体、４３…グランド中継端子、４３ａ…接続部、４４，４５…可動接触片、４４ａ，４５ａ…可動部、４４ｂ，４５ｂ…シールド用連結部、４４ｃ，４５ｃ…可動接点。
【図１】
0003603455.tif 000002
【図２】
0003603455.tif 000003
【図３】
0003603455.tif 000004
【図４】
0003603455.tif 000005
【図５】
0003603455.tif 000006
【図６】
0003603455.tif 000007
【図７】
0003603455.tif 000008